(57)【特許請求の範囲】
【請求項１】
作動蒸気導入口と作動蒸気排出口と圧送復水流入口及び圧送復水排出口が設けられた密閉容器内の復水溜空間にフロートと切替え弁が配置され、フロートの昇降に応じて切替え弁で作動蒸気導入口と作動蒸気排出口の開閉を切り換えて、初めに作動蒸気排出口を開き作動蒸気導入口を閉じて圧送復水流入口から復水溜空間に復水を流入させ、次いで作動蒸気排出口を閉じ作動蒸気導入口を開いて復水溜空間に溜った復水を圧送復水排出口から圧送する復水圧送装置において、作動蒸気導入口に作動蒸気を供給する作動蒸気供給管を接続して、当該作動蒸気供給管に第一の熱交換部材を取り付けると共に、作動蒸気排出口に作動蒸気を排出する作動蒸気排出管を接続して、当該作動蒸気排出管に第二の熱交換部材を取り付けて、当該第一及び第二の熱交換部材で作動蒸気と別途の流体とを熱交換することを特徴とする復水圧送装置。
【発明の詳細な説明】
【技術分野】
【０００１】
本発明は、各種蒸気使用装置で発生した復水をボイラーや廃熱利用箇所に圧送する復水圧送装置に関するものである。
【背景技術】
【０００２】
従来の復水圧送装置は、作動蒸気導入口と作動蒸気排出口と圧送復水流入口及び圧送復水排出口が設けられた密閉容器の内部の復水溜空間にフロートと切替え弁が配置され、フロートの昇降に応じて切替え弁で作動蒸気導入口と作動蒸気排出口の開閉を切り換えて、初めに作動蒸気排出口を開き作動蒸気導入口を閉じて圧送復水流入口から復水溜空間に復水を流入させ、次いで作動蒸気排出口を閉じ作動蒸気導入口を開いて復水溜空間に溜った復水を圧送復水排出口から圧送するものである。
【０００３】
上記従来の復水圧送装置は、作動蒸気導入口へ供給される作動蒸気の保有する熱量を有効に活用することができないという問題点があった。
【特許文献１】特開平９−５３７９４
【発明の開示】
【発明が解決しようとする課題】
【０００４】
解決しようとする課題は、作動蒸気導入口へ供給される作動蒸気の保有する熱量を有効に活用することのできる復水圧送装置を提供することである。
【課題を解決するための手段】
【０００５】
本発明は、作動蒸気導入口と作動蒸気排出口と圧送復水流入口及び圧送復水排出口が設けられた密閉容器内の復水溜空間にフロートと切替え弁が配置され、フロートの昇降に応じて切替え弁で作動蒸気導入口と作動蒸気排出口の開閉を切り換えて、初めに作動蒸気排出口を開き作動蒸気導入口を閉じて圧送復水流入口から復水溜空間に復水を流入させ、次いで作動蒸気排出口を閉じ作動蒸気導入口を開いて復水溜空間に溜った復水を圧送復水排出口から圧送する復水圧送装置において、作動蒸気導入口に作動蒸気を供給する作動蒸気供給管を接続して、当該作動蒸気供給管に第一の熱交換部材を取り付けると共に、作動蒸気排出口に作動蒸気を排出する作動蒸気排出管を接続して、当該作動蒸気排出管に第二の熱交換部材を取り付けて、当該第一及び第二の熱交換部材で作動蒸気と別途の流体とを熱交換するものである。
【発明の効果】
【０００６】
本発明の復水圧送装置は、作動蒸気導入口に接続した作動蒸気供給管に熱交換部材を取り付けて、この熱交換部材で作動蒸気と別途の流体とを熱交換することにより、作動蒸気の保有する熱量を有効に活用することができるという優れた効果を生じる。
【発明を実施するための最良の形態】
【０００７】
本発明は、作動蒸気供給管に熱交換部材を取り付けるものであるが、熱交換部材としては、従来公知のものを用いることができ、例えば、常温水と高温の作動蒸気が間接的に熱交換されて、作動蒸気の温度が低下すると共に、常温水の温度を上昇させるタイプの熱交換部材が好適である。
【実施例１】
【０００８】
本実施例においては、蒸気と水の熱交換器１で発生した復水を、復水タンク２を介して復水圧送装置３で所定箇所へ圧送する復水圧送装置の例を示す。
【０００９】
熱交換器１に蒸気供給管４と水供給管５を、それぞれ平行に取り付ける。蒸気供給管４から供給される蒸気と、水供給管５から供給される水が、熱交換器１内で熱交換されて、所定温度まで温度上昇した温水が、温水排出管６から所定箇所へ排出されるものである。
【００１０】
蒸気供給管４を分岐して分岐蒸気供給管７を接続する。分岐蒸気供給管７に第一の熱交換部材８を取り付けて、下端を復水圧送装置３の作動蒸気導入口１３と接続する。第一の熱交換部材８は、左側に水供給管５を接続して、右側に第二の熱交換部材９を介在して熱交換器１と接続する。
【００１１】
第一の熱交換部材８と作動蒸気導入口１３の間の分岐蒸気供給管７を更に分岐して分岐管１０を延長して蒸気トラップ１１を取り付ける。蒸気トラップ１１は、分岐蒸気供給管７内を流下してくる復水と蒸気の混合流体の内で、復水だけを自動的に外部に排出して、蒸気は外部へ排出することのないものである。
【００１２】
第二の熱交換部材９の上部と、復水圧送装置３の作動蒸気排出口１４とを作動蒸気排出管１２で接続する。第二の熱交換部材９の下部は、管路１５で復水タンク２と接続する。
【００１３】
復水圧送装置３の圧送復水流入口１６と、復水タンク２とを連通管１７で連通する。復水圧送装置３は、圧送復水流入口１６と圧送復水排出口１８、及び、高圧の作動蒸気導入口１３と作動蒸気排出口１４を有し、圧送復水流入口１６に逆止弁１９を介して連通管１７を接続する。逆止弁１９は、連通管１７から復水圧送装置３内への液体の流下は許容し、反対の液体流れは阻止するものである。同様に、圧送復水排出口１８に逆止弁２０を介して復水圧送管２１を接続する。この逆止弁２０は、復水圧送装置３から復水圧送管２１への液体の流下を許容し、反対の流れは阻止する機能を有する。
【００１４】
復水圧送装置３は、内部に配置した図示しないフロートが下方部に位置する場合に、作動蒸気導入口１３を閉口し、一方、作動蒸気排出口１４を開口して、連通管１７から復水タンク２内の復水を逆止弁１９と圧送復水流入口１６を通して復水圧送装置３内に流下させるものである。
【００１５】
復水圧送装置３内に復水が溜って図示しないフロートが所定上方部に位置すると、作動蒸気排出口１４を閉口し、作動蒸気導入口１３を開口して、分岐蒸気供給管７から高圧蒸気を復水圧送装置３の内部に流入させることにより、内部に溜った復水を圧送復水流出口１８と逆止弁２０と復水圧送管２１を通して所定箇所へ圧送する。
【００１６】
復水が圧送されて復水圧送装置３内の水位が低下すると、再度、作動蒸気導入口１３を閉口し、作動蒸気排出口１４を開口することにより、圧送復水流入口１６から復水を内部へ流下させる。このような作動サイクルを繰り返すことにより、復水圧送装置３は、連通管１７からの復水を所定箇所へ圧送する。
【００１７】
蒸気供給管４と分岐蒸気供給管７から第一の熱交換部材８へ供給される蒸気の一部は、水供給管５から供給される水と熱交換して、水を昇温させる。水を昇温させることにより熱を奪われた一部の蒸気は凝縮して復水となり、蒸気トラップ１１から外部へ排出される。蒸気トラップ１１で復水の排出された残余の蒸気は、作動蒸気導入口１３から復水圧送装置３へ供給される。
【００１８】
復水圧送装置３の作動蒸気排出口１４から排出される蒸気は、第二の熱交換部材９で、水供給管５から供給される水を更に加熱して昇温させる。水を昇温して凝縮した復水は管路１５を通って復水タンク２へ流下する。
【００１９】
分岐蒸気供給管７から作動蒸気導入口１３へ供給される蒸気の一部の熱量、及び、作動蒸気排出口１４から排出される作動蒸気の熱量で、水供給管５を通過する水を所定温度まで昇温させることができ、作動蒸気の保有する熱量を有効に活用することができる。
【図面の簡単な説明】
【００２０】
【図１】本発明の復水圧送装置の実施例を示す構成図。
【符号の説明】
【００２１】
１  熱交換器
２  復水タンク
３  復水圧送装置
４  蒸気供給管
５  水供給管
６  温水排出管
７  分岐蒸気供給管
８  第一の熱交換部材
９  第二の熱交換部材
１１  蒸気トラップ
１２  作動蒸気排出管
１３  作動蒸気導入口
１４  作動蒸気排出口
１６  圧送復水流入口
１７  圧送復水排出口
２１  復水圧送管
【図１】
0005065138.tif 000002